【事件の表示】
　平成５年特許願第１２７４１号「照射線量算出装置」拒絶査定不服審判事件〔平成６年８月９日出願公開，特開平６−２１８０７０号〕について，次のとおり審決する。
【結　論】
　本件審判の請求は，成り立たない。
【理　由】
１．手続の経緯・本願発明
　本願は，平成５年１月２８日の出願であって，その請求項１に係る発明（以下，「本願発明」という。）は，平成１５年７月２５日付けで補正された明細書及び図面の記載からみて，次のとおりのものと認める。
「シミュレータから放射線照射野に対応するワイヤコリメータの各ワイヤの位置データを受信するためのインタフェースと，放射線治療装置に照射線量のデータを送信するためのインタフェースと，複数の照射野の辺長に対応する複数の深部量百分率を記憶している手段と，病巣線量，骨・肺の補正係数，ウエッジフィルターの補正係数を操作者が入力するための手段と，前記シミュレータから受信されたワイヤの位置情報から照射野の辺長を計算し，前記計算された照射野の辺長に対応する深部量百分率を特定し，前記特定された深部量百分率とともに，前記入力された病巣線量，骨・肺の補正係数，ウエッジフィルターの補正係数に基づいて前記照射線量を算出する手段とを具備することを特徴とする照射線量算出装置。」
　
２．引用発明
（１）原査定の拒絶の理由に引用された特開昭５８−１７５５７１号公報（以下，「刊行物１」という。）には，第１図〜第５図と共に，次の事項が記載されている。
ａ．「本発明は，ＣＴ(Computed Tomography)画像を活用し，高精度な身体内線量分布計算を行なう放射線治療計画システムに関する。
　ガン等の放射線治療においては，ガン細胞のみを破壊し，それ以外の正常細胞への影響を最小とするため，照射部位，照射時間などの照射条件を適切にする必要がある。この治療計画立案のために，放射線照射等の人体各部の吸収線量を計算する放射線治療計画システムがある。本システムでは，照射条件と，患者の身体表面形状などの生体情報を入力とし，人体各部の吸収線量を等高線など図形として出力する。照射条件としては，「照射部位」，「照射野の形と広さ」，「照射時間」，「照射方向」，「照射門数」，「回転照射，振子照射などの照射方法」，「放射線の種類とエネルギー」など多種のものがある。患者の生体情報としては，従来，回転横断Ｘ線像をデイジタイザでトレースし，身体表面，肺，骨の形状を入力していた。肺と骨の放射線吸収率としては，日本人の平均値を使い，他の部分は水と同一の吸収率を使つていた。」（第１頁右下欄第７行〜第２頁左上欄第７行）
ｂ．「次に，第２図の各装置の動作を，第１図との対比において表現したのが第３図（Ａ）である。
（１）まずＣＰＵ１００の制御によりパラメータ入力装置１２０より照射条件を入力し，メインメモリ１１０に記憶する。
（２）照射野補正処理装置２００は，ＣＰＵ１００から起動をかけられると，ＣＰＵ１００から送信されてきた照射野サイズとＳＳＤ(Source Surface Distance)を利用して，必要な基本線量分布データをデイスク２１０より検索し，照射野補正計算を行い，画像メモリ２２０に照射野サイズを変更した線量分布データを出力する。」（第３頁左上欄第６行〜第１８行）
ｃ．「照射野補正装置２００は，照射野補正計算を行なうものである。この計算は，既知の水フアントームＰＤＤ(Percent Depth Dose)データから任意の広さの正方形照射野のＰＤＤデータを算出するものである。２次元のＰＤＤを計算するに当たり，まず中心軸上のＰＤＤを算出し，次に第２ステツプとして２次元データを算出する。
　ＰＤＤを正方形照射野の一辺の長さｆ，水面からの深さｘ，中心軸からの距離ｙの関数ＰＤＤ（ｆ，ｘ，ｙ）として表現すると，異なる照射野の中心軸上のＰＤＤは，
ＰＤＤ（ｆ３，ｘ，０）＝ＰＤＤ（ｆ１，ｘ，０）＋（ｆ３−ｆ１）／（ｆ２−ｆ１）×（ＰＤＤ（ｆ２，ｘ，０）−ＰＤＤ（ｆ１，ｘ，０））
として線型補間する。第２ステツプの２次元データの計算には，新しい関数として次のＯＣＲ(off center ratio)とdecrement valveを導入する。
ＯＣＲ（ｆ，ｘ，ｙ）＝ＰＤＤ（ｆ，ｘ，ｙ）／ＰＤＤ（ｆ，ｘ，０）
ＯＣＲ（ｆ，ｘ，ｙ）＝Ｚの逆関数ｙ（ｆ，ｘ，ｚ）をdecrement valueと呼ぶ。ｘについてｙは直線に近くなり，例えば，Ｚの値として次のような値が使われている。
０．９９，０．９８，０．９７，０．９５，０．９，０．８
０．７，０．６，０．４，０．２，０．１，０．０５
　２次元データの照射野補正では，異なる照射野のdecrement value間で次の線型補間を行う。
ｙ（ｆ３，ｘ，ｚ）＝ｙ（ｆ１，ｘ，ｚ）＋（ｆ３−ｆ１）／（ｆ２−ｆ１）×（ｙ（ｆ２，ｘ，ｚ）−ｙ（ｆ１，ｘ，ｚ））
先に示したようなｚの値についてｙを計算し，必要な点のＯＣＲ（ｆ３，ｘ，ｙ）を線型補間により算出し，第１ステツプで求めたＰＤＤ（ｆ３，ｘ，０）との積として任意の点のＰＤＤを計算する。照射野補正装置２００は，以上の処理を行ない，その結果を画像メモリ２２０に出力する。」（数式中の分数は同値のものに適宜変形している。第３頁右下欄第２行〜第４頁左上欄第１９行）
　これらの記載事項及び図示内容を総合し，刊行物１には，以下の発明（以下，「引用発明１」という。）が記載されていると認める。
「ＰＤＤ（ｆ２，ｘ，０），ＰＤＤ（ｆ１，ｘ，０）等を用いて線型補間で，任意の広さの正方形照射野のＰＤＤ(percent Depth Dose)データを算出し，照射野サイズを変更した線量分布データを出力する照射野補正装置２００を具備する身体内線量分布計算を行う放射線治療計画システム。」
　
（２）同じく原査定の拒絶の理由に引用された実願昭６０−４９６５２号（実開昭６１−１６５７５２号）のマイクロフィルム（以下，「刊行物２」という。）には，第１図〜第３図と共に，次の事項が記載されている。
ａ．「第２図において，Ｘ線シミュレータ装置はＸ線管球２１と，Ｘ線照射野２９を形成するＸ線可動絞り２２と，Ｘ線可動絞り２２に取りつけられたワイヤ可動絞り２３と，患者２６を乗せる撮影用テーブル２４と，撮影用テーブル２４の下部に設けられるＸ線影像装置２５とからなり，撮影用テーブル２４に乗せられた患者２６の治療部位２７がＸ線照射野２９の中央部に位置するように配置される。
　Ｘ線管球２１はＸ線影像装置２５が充分な濃度を得ることのできる管電圧，管電流，照射時間の条件でＸ線を発生する。このＸ線は患者２６の治療部位２７でのＸ線吸収量に応じた分布で撮影用テーブル２４およびＸ線影像装置２５で受け止められる。Ｘ線照射野２９内の治療部位２７を限定するためにワイヤ可動絞り２３の作る矩形の照射野２８が使われる。」（明細書第２頁第５行〜第３頁第１行）
ｂ．第３図には，４本の金属ワイヤ５〜８により矩形が作られることが示されている。
　上記記載事項及び図示内容を総合し，刊行物２には，以下の発明（以下，「引用発明２」という。）が記載されていると認める。
「治療部位２７を限定するために４本の金属ワイヤ５〜８により矩形の照射野２８を作るワイヤ可動絞り２３を備えるＸ線シミュレータ装置。」
　
３．対比
　本願発明と引用発明１とを対比すると，後者における「ＰＤＤ(percent depth doose)」は，その作用・機能からみて前者における「深部量百分率」に相当し，以下同様に，「ＰＤＤ（ｆ２，ｘ，０），ＰＤＤ（ｆ１，ｘ，０）」は「複数の照射野の辺長に対応する複数の深部量百分率」に，「任意の広さの正方形照射野のＰＤＤ(percent Depth Dose)データを算出し，照射野サイズを変更した線量分布データを出力する照射野補正装置２００」は「照射野の辺長に対応する深部量百分率を特定し，前記特定された深部量百分率に基づいて照射線量を算出する手段」に，「身体内線量分布計算を行う放射線治療計画システム」は「照射線量算出装置」にそれぞれ相当する。
　また，後者において，「ＰＤＤ（ｆ２，ｘ，０），ＰＤＤ（ｆ１，ｘ，０）」は線型補間の基礎となるデータであり，放射線治療システムがそれらを記憶している手段を具備していることは明らかである。
　してみれば，両者は，
「複数の照射野の辺長に対応する複数の深部量百分率を記憶している手段と，照射野の辺長に対応する深部量百分率を特定し，前記特定された深部量百分率に基づいて照射線量を算出する手段とを具備する照射線量算出装置。」
である点で一致し，次の点で相違する。
ａ．本願発明においては，シミュレータから放射線照射野に対応するワイヤコリメータの各ワイヤの位置データを受信するためのインタフェースが具備され，深部量百分率を特定するための照射野の辺長は，前記シミュレータから受信されたワイヤの位置情報から計算されたものであるのに対して，引用発明１においては，深部量百分率を特定するための照射野の辺長がどのように得られるのか不明である点。
ｂ．本願発明においては，放射線治療装置に照射線量のデータを送信するためのインタフェースが具備されているのに対して，引用発明１においては，そのような構成が具備されているかどうか不明である点。
ｃ．本願発明においては，病巣線量，骨・肺の補正係数，ウエッジフィルターの補正係数を操作者が入力するための手段が具備され，照射線量を算出するのに前記入力された病巣線量，骨・肺の補正係数，ウエッジフィルターの補正係数も用いているのに対して，引用発明１においては，そのような構成が具備されているかどうか不明である点。
　
４．当審の判断
（１）相違点ａについて
　引用発明２における「Ｘ線シミュレータ装置」，「ワイヤ可動絞り２３」及び「金属ワイヤ５〜８」は，それぞれ本願発明における「シミュレータ」，「ワイヤコリメータ」及び「各ワイヤ」に相当するから，引用発明２は，「４本の各ワイヤにより矩形の照射野を作るワイヤコリメータを備えるシミュレータ。」であるといえる。そして，引用発明２において，照射野の辺長は，各ワイヤの位置により決定されものであることは明らかである。
　また，ワイヤコリメータの位置データを検出して活用することは，例えば，特開昭５４−１１５５９５号公報（以下，「周知例１」という。）の第２頁右上欄（「１は，治療計画装置であり，この治療計画装置１内には，放射線を照射すべき患者患部位置に対応する情報を得るための位置検出手段としての・・・ワイヤコリメータＸ方向開度検出器１−４，ワイヤコリメータＹ方向開度検出器１−５・・・が設けられている。」）に記載されているように，放射線治療用装置の分野における周知技術であり，さらに，引用発明１において，データの入力は可能な限り操作者の作業とはせず，自動化した方がよいということが自明の課題であることに鑑みれば，引用発明１において，シミュレータから放射線照射野に対応するワイヤコリメータの各ワイヤの位置データを受信するためのインタフェースを具備し，照射野の辺長を，前記シミュレータから受信されたワイヤの位置情報から計算するようにすることは，引用発明２及び周知技術に基づき当業者が容易に想到し得たことである。
　
（２）相違点ｂについて
　放射線治療装置に，放射線治療計画装置等で算出した照射線量のデータを送信することは，例えば，周知例１の第３頁左上欄（「演算装置８では前記各種情報にもとづいて所定の演算などによるデータ処理を行ない，治療装置１０に対する自動位置決め情報，照射線量等を決定し，それぞれに応じた各々制御信号を治療装置駆動用バツフアレジスタ９を介して治療装置１０に転送する。」）に記載されているように，放射線治療用装置の分野における周知技術である。そして，この周知技術は，照射線量のデータの授受をより正確・迅速に行うためのものであるが，引用発明１においても，照射線量のデータの授受は，正確・迅速に行った方がよいことは明らかであり，引用発明１にこの周知技術を適用することは当業者が容易に想到し得たことである。
　なお，データの送信を行う際に，インターフェースを設けることは普通に行われることである。
　
（３）相違点ｃについて
　照射線量を算出するのに，病巣線量，骨・肺の補正係数，ウエッジフィルターの補正係数を操作者が入力し，それらを用いることは，それぞれ，例えば，特開平１−２１２５７５号公報（以下，「周知例２」という。）の第２頁左下欄（「この標準線量計算部７では実際に体内の腫瘍中心に照射するＸ線の強度・・・を設定することにより人体内のＸ線の総量分布を等線量曲線として求めることができる。」），引用文献１の上記記載事項ａ（「患者の生体情報としては，従来，回転横断Ｘ線像をデイジタイザでトレースし，身体表面，肺，骨の形状を入力していた。肺と骨の放射線吸収率としては，日本人の平均値を使い，他の部分は水と同一の吸収率を使つていた。」），周知例２の第２頁右上欄〜右下欄（「３は入力されたパラメータ情報源であり，・・・３ｆは照射対象物にＸ線が均一に照射されるようＸ線ビームの減衰率を変化させる補助具の設定角度であるウエツジ角度・・・である。・・・パラメータ３は計算パラメータ受理部５で受理され，パラメータ種類毎に計算パラメータスタツク部８にスタツクされる。・・・８は計算パラメータスタツク部６に設定されたパラメータの数値を時々刻々入力して線量計算を行い，パラメータの値の変化を判断し，新しい設定値の場合は線量計算を再度行う演算装置が組込まれているダイナミツク線量計算機構部・・・である。」）に記載されているように，放射線治療用装置の分野における周知技術である。そして，これらの周知技術は，照射線量をより適切・正確に算出するためのものであるが，引用発明１においても照射線量は，より適切・正確に算出できた方がよいことは明らかであり，引用発明１にこれらの周知技術を適用することは当業者が容易に想到し得たことである。
　
　そして，本願発明により奏される効果も，引用発明１，引用発明２及び周知技術から当業者が予測し得る範囲内のものである。
　
５．むすび
　したがって，本願発明は，引用発明１，引用発明２及び周知技術に基づいて当業者が容易に発明をすることができたものであるから，特許法第２９条第２項の規定により特許を受けることができない。
　よって，結論のとおり審決する。